(57)【要約】【課題】複数の項目を連続的に選択できるリスト表示において、ユーザの意図を推測して動作に反映させることで、ユーザの操作性を向上させる表示方法を提供することである。【解決手段】表示装置１１に複数の項目を連続的に選択できるリストを表示させ、リモコン１３が操作されることで選択候補を示すカーソルを移動させながら所望の項目を選択可能にする表示方法において、項目の並びに従って項目に順位を付け、少なくとも直近のカーソルの移動方向が、順位のプラス方向かマイナス方向かを記憶し、所望の項目が選択された場合、直近のカーソルの移動方向がプラス方向かマイナス方向かを判定し、プラス方向と判定した場合は、選択された項目から見てプラス方向の項目へカーソルを自動的に移動させ、マイナス方向と判定した場合は、選択された項目から見てマイナス方向の項目へ前記カーソルを自動的に移動させる。【選択図】図１
2011118641.tif 000002
【特許請求の範囲】
【請求項１】
表示装置に複数の項目を連続的に選択できるリストを表示させ、操作部が操作されることで選択候補を示すカーソルを移動させながら所望の項目を選択可能にする表示方法において、
前記項目の並びに従って前記項目に順位を付け、
少なくとも直近の前記カーソルの移動方向が、前記順位のプラス方向かマイナス方向かを記憶し、
所望の項目が選択された場合、前記直近のカーソルの移動方向がプラス方向かマイナス方向かを判定し、
プラス方向と判定した場合は、選択された項目から見てプラス方向の項目へ前記カーソルを自動的に移動させ、
マイナス方向と判定した場合は、選択された項目から見てマイナス方向の項目へ前記カーソルを自動的に移動させることを特徴とする表示方法。
【請求項２】
前記選択された項目から見てプラス方向の項目が複数ある場合、又は前記選択された項目から見てマイナス方向の項目が複数ある場合、
前記選択された項目から見てプラス方向の項目、又は前記選択された項目から見てマイナス方向の項目とは、前記選択された項目の順位に連続する順位の項目であることを特徴とする請求項１記載の表示方法。
【請求項３】
前記選択された項目から見てプラス方向の項目が複数ある場合、又は前記選択された項目から見てマイナス方向の項目が複数ある場合、
直近の前記カーソルの移動方向そのものを記憶し、
前記選択された項目から見てプラス方向の項目、又は前記選択された項目から見てマイナス方向の項目とは、直近の前記カーソルの移動方向に位置する項目であることを特徴とする請求項１記載の表示方法。
【請求項４】
前記項目が上下方向に一列に並んでおり、前記プラス方向が下方向、前記マイナス方向が上方向であることを特徴とする請求項１記載の表示方法。
【請求項５】
前記カーソルの位置する項目をハイライトで表示することを特徴とする請求項１〜４の何れかに記載の表示方法。
【請求項６】
前記選択された項目に選択されたことを示す記号を付けることを特徴とする請求項１〜５の何れかに記載の表示方法。
【請求項７】
請求項１〜６の何れかに記載の表示方法を実現する表示プログラム。
【発明の詳細な説明】
【技術分野】
【０００１】
本発明は、表示装置に複数の項目を連続的に選択できるリストを表示させ、操作部が操作されることで選択候補を示すカーソルを移動させながら所望の項目を選択可能にする表示方法と、その表示方法を実現する表示プログラムに関する。
【背景技術】
【０００２】
メニューなど何らかの選択操作が可能な画面を表示させる電気機器が多数存在しており、例えば、テレビ、ＨＤＤレコーダ、光ディスク装置、デジタルカメラ、携帯電話機などが挙げられる。
【０００３】
例えば、ＨＤＤレコーダがテレビの画面にメニューを表示する場合、メニューの項目の選択候補を示すカーソルを移動可能とすることでユーザが所望する項目を選択できるようになっている。
【０００４】
そして、画面上でのユーザの操作性を向上させる技術が色々提案されている。例えば、特許文献１では、ＧＵＩ（Graphical User Interface）を利用した情報処理装置、情報処理方法及びプログラムにおいて、オブジェクトの数や配置によらず簡単な操作によりオブジェクトの選択を容易にするとともに、ユーザの意図に沿ったオブジェクトの選択を可能とすることを目的としている。そのために、情報処理装置は、複数のオブジェクトとカーソルとが表示される表示部と、ポインティングデバイスの操作内容に応じてカーソルを移動させる操作部と、ポインティングデバイスの操作内容に関する操作情報に基づいて検出されたカーソル情報及び過去に選択されたオブジェクトの履歴を表す選択履歴情報のいずれか一方に基づいて選択候補のオブジェクトを設定し、カーソル情報及び選択履歴情報のいずれか他方に基づいて選択目標のオブジェクトを決定するオブジェクト選択補助部と、選択目標のオブジェクトを選択するオブジェクト選択部と、を備える構成としている。
【０００５】
また特許文献２では、メニュー画面において項目の視認性を低下させないようにしつつ、ユーザがメニュー画面から機能に対応する項目を選択する際の利便性を向上させることを目的としている。そのために、携帯電話機の制御部は、操作部におけるメニューキーから、押下されたことを示す信号が入力されたことを検出すると、メニュー画面における各項目の表示サイズを設定する。使用頻度が高い項目は表示サイズ（大）で表示することに決定する。操作部における方向キーが右側に押下される度に、携帯電話機の制御部は、カーソルを、表示サイズ（大）で表示されている項目間で順方向に移動させる。また、方向キーが左側に押下される度に、制御部は、カーソルを、表示サイズ（大）で表示されている項目間で逆方向に移動させる。
【０００６】
また特許文献３では、各方向の範囲を適宜定めることが可能となり、ＧＵＩ部品の配置に適したフォーカス移動方向や、ユーザが操作し易いフォーカス移動方向を設定できることを目的としている。そのために、着目するＧＵＩ部品を起点として操作手段の操作方向に基づいて移動するフォーカスの移動先ＧＵＩ部品を、前記着目するＧＵＩ部品を中心とした各方向ごとの探索範囲内で探索する探索手段と、探索されたＧＵＩ部品を前記着目するＧＵＩ部品を起点とした前記操作方向に対応するフォーカスの移動先として設定する設定手段と、を有し、前記探索手段は、前記探索範囲を可変としている。
【０００７】
また特許文献４では、コマンドの検索性にすぐれ、所望のコマンドに最小限のキー操作により到達することが可能なメニュー表示をおこなうことを目的としている。そのために、同一メニュー内で、ある項目に代えて別の項目が選択されると、それまで選択されていた項目の表示されていた位置に新たに選択された項目が表示されるよう、メニュー自体の表示位置が変更される。そのため選択された項目は常に画面上の同一位置に表示されることになる。また各階層のメニューは、最後に実行されたコマンドあるいは当該コマンドを含むグループをあらかじめ選択して表示されるとともに、各選択項目が画面上で一直線上に並ぶような位置に表示されるので、以前実行したことのあるコマンドを容易に検索・実行することができる。
【０００８】
また特許文献５では、ユーザが頻繁に使用するコマンドを容易に選択することができるようにすることを目的としている。そのために、選択メニュー情報取得部やメニュー情報表格納部により、メニューを構成するコマンド等の各項目の使用頻度を管理しておき、あるメニューが選択された場合、表示メニューリスト作成部と表示メニュー構成部およびメニュー表示部により、使用頻度が高い項目ほど、大きなフォントサイズで、かつ、上部に表示し、使用頻度が所定値に達しない各項目をまとめてサブメニューで表示する。
【先行技術文献】
【特許文献】
【０００９】
【特許文献１】特開２００９−７０１７７号公報
【特許文献２】特開２００８−２４２５８３号公報
【特許文献３】再表２００３／０２５７２９号公報
【特許文献４】特開２００２−１１６８５７号公報
【特許文献５】特開２０００−９９２３１号公報
【発明の概要】
【発明が解決しようとする課題】
【００１０】
上記の他にも、ユーザの操作性を向上させる技術として、さらに具体的な例としては、複数の項目を連続的に選択できるようにリスト表示されている画面において、ユーザが選択候補を表すカーソルを移動させながら複数の項目を選択する場合、１つの項目を選択した後に自動的に予め定められた一方向へカーソルが移動する技術がある。しかしながら、このように一方向へカーソルが自動的に移動した場合、ユーザが逆方向に移動させたいときには意図しない不都合な動作となってしまい、必ずしも使い勝手がよいとは言えない。
【００１１】
本発明は、複数の項目を連続的に選択できるリスト表示において、ユーザの意図を推測して動作に反映させることで、ユーザの操作性を向上させる表示方法を提供することを目的とする。また、その表示方法を実現する表示プログラムを提供することも目的とする。
【課題を解決するための手段】
【００１２】
上記目的を達成するために本発明は、表示装置に複数の項目を連続的に選択できるリストを表示させ、操作部が操作されることで選択候補を示すカーソルを移動させながら所望の項目を選択可能にする表示方法において、前記項目の並びに従って前記項目に順位を付け、少なくとも直近の前記カーソルの移動方向が、前記順位のプラス方向かマイナス方向かを記憶し、所望の項目が選択された場合、前記直近のカーソルの移動方向がプラス方向かマイナス方向かを判定し、プラス方向と判定した場合は、選択された項目から見てプラス方向の項目へ前記カーソルを自動的に移動させ、マイナス方向と判定した場合は、選択された項目から見てマイナス方向の項目へ前記カーソルを自動的に移動させることを特徴とする。
【００１３】
この構成によると、複数の項目を連続的に選択できるリスト表示において、ユーザの操作の意図を推測して動作に反映させることができる。
【００１４】
上記の表示方法において、前記選択された項目から見てプラス方向の項目が複数ある場合、又は前記選択された項目から見てマイナス方向の項目が複数ある場合、前記選択された項目から見てプラス方向の項目、又は前記選択された項目から見てマイナス方向の項目とは、前記選択された項目の順位に連続する順位の項目とすることができる。
【００１５】
この構成によると、選択された項目から見てプラス方向の項目が複数ある場合、又は選択された項目から見てマイナス方向の項目が複数ある場合に対処できる。
【００１６】
また上記の表示方法において、前記選択された項目から見てプラス方向の項目が複数ある場合、又は前記選択された項目から見てマイナス方向の項目が複数ある場合、直近の前記カーソルの移動方向そのものを記憶し、前記選択された項目から見てプラス方向の項目、又は前記選択された項目から見てマイナス方向の項目とは、直近の前記カーソルの移動方向に位置する項目であることとしてもよい。
【００１７】
この構成によっても、選択された項目から見てプラス方向の項目が複数ある場合、又は選択された項目から見てマイナス方向の項目が複数ある場合に対処できる。
【００１８】
また上記の表示方法において、前記項目が上下方向に一列に並んでいる場合は、前記プラス方向が下方向、前記マイナス方向が上方向であることとすることが望ましい。
【００１９】
また上記の表示方法において、識別性を向上させる観点から前記カーソルの位置する項目をハイライトで表示することが望ましい。
【００２０】
また上記の表示方法において、識別性を向上させる観点から前記選択された項目に選択されたことを示す記号を付けることが望ましい。
【００２１】
また本発明は、上記の表示方法を実現する表示プログラムも提供する。
【発明の効果】
【００２２】
本発明によると、複数の項目を連続的に選択できるリスト表示において、ユーザの意図を推測して動作に反映させることで、ユーザの操作性を向上させることができる。
【図面の簡単な説明】
【００２３】
【図１】本発明のＨＤＤ一体型光ディスク装置の構成及びその周辺機器を示すブロック図である。
【図２】本発明の制御の一例を示すフローチャートである。
【図３】本発明のリストの一例である。
【図４】本発明のリストの一例である。
【図５】本発明のリストの一例である。
【図６】本発明のリストの一例である。
【図７】本発明のリストの一例である。
【図８】本発明の制御の一例を示すフローチャートである。
【図９】本発明のリストの一例である。
【図１０】本発明のリストの一例である。
【図１１】本発明のリストの一例である。
【図１２】本発明のリストの一例である。
【図１３】本発明のリストの一例である。
【図１４】本発明のリストの一例である。
【図１５】本発明のリストの一例である。
【図１６】本発明の制御の一例を示すフローチャートである。
【図１７】本発明のリストの一例である。
【図１８】本発明のリストの一例である。
【発明を実施するための形態】
【００２４】
以下、録画再生装置の一例として、ハードディスクドライブ（ＨＤＤ）一体型光ディスク装置を用いて説明する。図１は、ＨＤＤ一体型光ディスク装置１０の構成及びその周辺機器を示すブロック図である。ＨＤＤ一体型光ディスク装置１０には、テレビ等の表示装置１１と、ケーブルテレビや衛星放送等のセットトップボックス又はビデオデッキ等の映像音声記録装置に代表される外部装置１２とが接続されている。またＨＤＤ一体型光ディスク装置１０は、リモコン１３によって操作可能である。以下では、光ディスクとしてＢＤ（Blu-ray Disc）を例に説明する。
【００２５】
ＨＤＤ一体型光ディスク装置１０は、アンテナ１５で受信したテレビ放送信号を復調、デジタル化するチューナ１６と、チューナ１６や外部装置１２から受け取った画像音声データをＭＰＥＧ２等に準拠して圧縮符号化したり、ＨＤＤ記録再生部１８又はＢＤ／ＤＶＤ記録再生部１９で再生された圧縮された画像データを伸長復号したりする画像音声圧縮伸長部１７と、画像音声圧縮伸長部１７から受け取った圧縮された画像音声データをＨＤＤに記録したり、ＨＤＤに記録されたデータを再生したりするＨＤＤ記録再生部１８と、画像音声圧縮伸長部１７から受け取った圧縮された画像音声データを挿入されたＢＤに記録したり、ＢＤに記録されたデータを再生したりするＢＤ／ＤＶＤ記録再生部１９と、各種設定値を表示装置１１の一部に表示しながら設定できるようにするＯＳＤ（On Screen Display）部２０と、ＯＳＤ部２０からの画像信号をアナログ化し、表示装置１１へ出力する画像出力部２１と、画像音声圧縮伸長部１７からの音声信号をアナログ化し、表示装置へ出力する音声出力部２２と、ＲＯＭやＲＡＭからなるメモリ２３と、リモコン１３からの信号を受信するリモコン受信部２４と、外部装置１２が接続される外部Ｉ／Ｆ２５と、ＨＤＤ一体型光ディスク装置１０の各部を制御する制御部２６とを備えている。
【００２６】
また、制御部２６は、表示装置１１に複数の項目を連続的に選択できるリストを表示させ、リモコン１３など操作部の矢印キー（上、下、左、右キー）と決定キーが適宜操作されることで選択候補を示すカーソルを移動させながらユーザが所望する項目を選択可能にする制御も行う。
【００２７】
具体的には、制御部２６は、リスト上の項目の並びに従って項目に１、２、３・・・などの順位を付け、少なくとも直近のカーソルの移動方向が、順位のプラス方向（例えば番号が大きくなる方向）かマイナス方向（例えば番号が小さくなる方向）かをメモリ２３に記憶させ、決定キーでユーザが所望する項目が選択された場合、記憶してある直近のカーソルの移動方向がプラス方向かマイナス方向かを判定し、プラス方向と判定した場合は、選択された項目から見てプラス方向の項目へカーソルを自動的に移動させ、マイナス方向と判定した場合は、選択された項目から見てマイナス方向の項目へカーソルを自動的に移動させるように制御する。
【００２８】
図２は、上記の制御の一例を示すフローチャートである。ここでは、ＨＤＤ一体型光ディスク装置１０のＨＤＤに記録されている複数のタイトルをリスト表示してユーザが選択した複数のタイトルを一括して消去する場合を例に説明する。
【００２９】
まず、リモコン１３が操作され、ＨＤＤの記録データを消去したい旨の指示があると、図２のステップＳ１０において、消去可能なタイトルのリストを表示、つまり、ＨＤＤに記録されているタイトルを一覧にして表示する。
【００３０】
例えば、図３に示すリスト３０のように、５つのタイトル名Ａ〜Ｅが消去可能な項目として、上下方向に一列に並んで表示される。タイトル名としては、他のタイトルと区別できるものであればよく、録画した日時及びチャンネルやＥＰＧ（電子番組表）から取り込んだ番組名などを利用すればよい。
【００３１】
また、タイトル名の前には選択されたか否かを示すチェックボックス３１が設けられており、選択されていない状態では空白、選択されている状態ではチェック記号が入った状態（例えば、図６の項目Ｃのチェックボックスを参照）となる。また、選択候補を示すカーソル３２が、ハイライトで表示されるなど他の項目と識別できるように表示されている。例えば、図３では斜線で示す項目Ｂにカーソル３２が位置している。また、リスト３０では項目の並び順である上から下に順に１〜５の順位を付け、順位のプラス方向が下方向、マイナス方向が上方向である。
【００３２】
次に、図２のステップＳ１０からステップＳ１１へ進んでカーソルの移動が指示されたか否かを判別する。ユーザによりリモコン１３の上キー又は下キーが操作され、カーソルの移動が指示された場合、ステップＳ１２へ進んで指示された方向にカーソルを移動させ、ステップＳ１３へ進んでカーソルの移動方向をメモリ２３に記憶する。メモリ２３に保持するカーソルの移動方向は少なくとも直近のものだけ、つまり１つだけ保持していれば足りる。なお、直近のものだけでなく、いくつか前までの移動方向を保持しておいても問題はない。
【００３３】
例えば、図３の状態から下キーが操作された場合、図５のようにカーソル３２を項目Ｃに移動させ、カーソルの移動方向としてプラス方向を記憶する。また、図４の状態から上キーが操作された場合、図５のようにカーソル３２を項目Ｃに移動させ、カーソルの移動方向としてマイナス方向を記憶する。
【００３４】
ステップＳ１１でリモコンの上又は下キーが操作されず、カーソルの移動が指示されない場合、又はステップＳ１３からは、ステップＳ１４に進む。ステップＳ１４では、項目の選択が指示されたか否かを判別する。ユーザによりリモコン１３の決定キーが操作され、項目の選択が指示された場合、ステップＳ１５へ進んで現在カーソルがある項目のチェックボックス３１にチェック記号を付す。一方、ユーザによりリモコン１３の決定キーが操作されず、項目の選択が指示されない場合、ステップＳ１１に戻る。
【００３５】
次に、ステップＳ１５からはステップＳ１６へ進んで、直近のカーソルの移動方向がプラス方向かマイナス方向かを判定する。そして、プラス方向と判定した場合は、ステップＳ１７へ進んで、選択された項目から見てプラス方向の項目へカーソルを自動的に移動させ、一方、マイナス方向と判定した場合は、ステップＳ１８へ進んで、選択された項目から見てマイナス方向の項目へカーソルを自動的に移動させる。その後、ステップＳ１４に戻る。そして、ユーザは所望の項目を全て選択した後に消去キーを操作することで、選択された項目（タイトル）が一括して消去される。
【００３６】
例えば、図３の状態から下キーが操作されると図５の状態となり、続けて決定キーが操作されると図６の状態となる。つまり、カーソル３２が項目Ｂから項目Ｃへ移動させられたときにプラス方向と記憶し、続けて項目Ｃが選択されたときにチェック記号を入れるとともに項目Ｃから見てプラス方向である項目Ｄへカーソルを移動させている。
【００３７】
また、図４の状態から上キーが操作されると図５の状態となり、続けて決定キーが操作されると図７の状態となる。つまり、カーソル３２が項目Ｄから項目Ｃへ移動させられたときにマイナス方向と記憶し、続けて項目Ｃが選択されたときにチェック記号を入れるとともに項目Ｃから見てマイナス方向である項目Ｂへカーソルを移動させている。
【００３８】
さらに、図３の状態から図５の状態を経て図６の状態となった場合に、続けて決定キーが操作されると、移動方向はプラス方向と記憶されているので、項目Ｄにチェック記号を入れるとともに項目Ｄから見てプラス方向である項目Ｅへカーソルを移動させる。
【００３９】
また、図４の状態から図５の状態を経て図７の状態となった場合に、続けて決定キーが操作されると、移動方向はマイナス方向と記憶されているので、項目Ｂにチェック記号を入れるとともに項目Ｂから見てマイナス方向である項目Ａへカーソルを移動させる。このように、連続して決定キーを押下していくと項目を順番に選択していくことができる。
【００４０】
但し、リストが最初に表示された状態（カーソルが項目Ａにある状態）で決定キーが操作された場合、つまりステップＳ１１、ステップＳ１４、ステップＳ１５の順でステップＳ１６へ進んだ場合は、直近のカーソルの移動方向が記憶されていないので、カーソル３２を強制的にプラス方向である項目Ｂへ移動させるようにすればよい。
【００４１】
図２のような制御によると、複数の項目を連続的に選択できるリスト表示において、選択操作される直近のカーソルの移動方向がユーザの意図する進行方向だと推測して、選択後のカーソルをその移動方向に自動的に移動させることでユーザの意図を反映させているので、操作性を向上させることができる。すなわち、ユーザは少ない操作回数で所望の複数の項目を選択することができる。
【００４２】
次に、複数の項目を連続的に選択できるリスト表示において、選択された項目から見てプラス方向の項目が複数ある場合、又は選択された項目から見てマイナス方向の項目が複数ある場合について２つ例示する。
【００４３】
１つ目の例では、制御部２６は、項目が選択された際、選択された項目から見てプラス方向の項目が複数ある場合、又は選択された項目から見てマイナス方向の項目が複数ある場合には、選択された項目から見てプラス方向の項目、又は選択された項目から見てマイナス方向の項目であって、かつ選択された項目の順位に連続する順位の項目にカーソルを自動的に移動させるように制御する。
【００４４】
図８は、上記の制御の一例を示すフローチャートである。ここでは、図２と同様、ＨＤＤ一体型光ディスク装置１０のＨＤＤに記録されている複数のタイトルをリスト表示してユーザが選択した複数のタイトルを一括して消去する場合を例に説明する。
【００４５】
まず、リモコン１３が操作され、ＨＤＤの記録データを消去したい旨の指示があると、図８のステップＳ２０において、消去可能なタイトルのリストを表示、つまり、ＨＤＤに記録されているタイトルを一覧にして表示する。
【００４６】
例えば、図９に示すリスト４０のように、２０のタイトル名Ａ〜Ｔが消去可能な項目として、碁盤の目状に並んで表示される。タイトル名の前には選択されたか否かを示すチェックボックス４１が設けられており、選択されていない状態では空白、選択されている状態ではチェック記号が入った状態となる。また、選択候補を示すカーソル４２が、ハイライトで表示されるなど他の項目と識別できるように表示されている。例えば、図９では斜線で示す項目Ｉにカーソル４２が位置している。
【００４７】
また、リスト４０では項目の並び順である左上のＡから右下のＴまでアルファベット順に１〜２０の順位を付ける。なお、プラス方向、マイナス方向を議論する際は、リストの右端の項目Ｄ、Ｈ、Ｌ、Ｐと左端の項目Ｅ、Ｉ、Ｍ、Ｑとがそれぞれ繋がっているものとして扱う。リスト４０のような碁盤の目状の形式の場合、順位のプラス方向としては右方向と下方向が考えられ、順位のマイナス方向としては左方向と上方向が考えられる。
【００４８】
次に、図８のステップＳ２０からステップＳ２１へ進んでカーソルの移動が指示されたか否かを判別する。ユーザによりリモコン１３の上、下、左、右キーの何れかが操作され、カーソルの移動が指示された場合、ステップＳ２２へ進んで指示された方向にカーソルを移動させ、ステップＳ２３へ進んでカーソルの移動方向をメモリ２３に記憶する。メモリ２３に保持するカーソルの移動方向は少なくとも直近のものだけ、つまり１つだけ保持していれば足りる。なお、直近のものだけでなく、いくつか前までの移動方向を保持しておいても問題はない。
【００４９】
例えば、図９の状態から右キーが操作された場合、図１３のようにカーソル４２を項目Ｊに移動させ、カーソルの移動方向としてプラス方向を記憶する。図１０の状態から下キーが操作された場合も、図１３のようにカーソル４２を項目Ｊに移動させ、カーソルの移動方向としてプラス方向を記憶する。また、図１１の状態から左キーが操作された場合、図１３のようにカーソル４２を項目Ｊに移動させ、カーソルの移動方向としてマイナス方向を記憶する。図１２の状態から上キーが操作された場合も、図１３のようにカーソル４２を項目Ｊに移動させ、カーソルの移動方向としてマイナス方向を記憶する。
【００５０】
ステップＳ２１でリモコンの矢印キーが操作されず、カーソルの移動が指示されない場合、又はステップＳ２３からは、ステップＳ２４に進む。ステップＳ２４では、項目の選択が指示されたか否かを判別する。ユーザによりリモコン１３の決定キーが操作され、項目の選択が指示された場合、ステップＳ２５へ進んで現在カーソルがある項目のチェックボックス４１にチェック記号を付す。一方、ユーザによりリモコン１３の決定キーが操作されず、項目の選択が指示されない場合、ステップＳ２１に戻る。
【００５１】
次に、ステップＳ２５からはステップＳ２６へ進んで、直近のカーソルの移動方向がプラス方向かマイナス方向かを判定する。そして、プラス方向と判定した場合は、ステップＳ２７へ進んで、選択された項目から見てプラス方向の項目であって、かつ選択された項目の順位に連続する順位の項目へカーソルを自動的に移動させ、一方、マイナス方向と判定した場合は、ステップＳ２８へ進んで、選択された項目から見てマイナス方向の項目であって、かつ選択された項目の順位に連続する順位の項目へカーソルを自動的に移動させる。その後、ステップＳ２４に戻る。そして、ユーザは所望の項目を全て選択した後に消去キーを操作することで、選択された項目（タイトル）が一括して消去される。
【００５２】
例えば、図９の状態から右キーが操作されると図１３の状態となり、続けて決定キーが操作されると図１４の状態となる。つまり、カーソル４２が項目Ｉから項目Ｊへ移動させられたときにプラス方向と記憶し、続けて項目Ｊが選択されたときにチェック記号を入れるとともに項目Ｊから見てプラス方向かつ連続した順位である項目Ｋへカーソルを移動させている。
【００５３】
また、図１０の状態から下キーが操作されると図１３の状態となり、続けて決定キーが操作されると図１４の状態となる。つまり、カーソル４２が項目Ｆから項目Ｊへ移動させられたときにプラス方向と記憶し、続けて項目Ｊが選択されたときにチェック記号を入れるとともに項目Ｊから見てプラス方向かつ連続した順位である項目Ｋへカーソルを移動させている。
【００５４】
また、図１１の状態から左キーが操作されると図１３の状態となり、続けて決定キーが操作されると図１５の状態となる。つまり、カーソル４２が項目Ｋから項目Ｊへ移動させられたときにマイナス方向と記憶し、続けて項目Ｊが選択されたときにチェック記号を入れるとともに項目Ｊから見てマイナス方向かつ連続した順位である項目Ｉへカーソルを移動させている。
【００５５】
また、図１２の状態から上キーが操作されると図１３の状態となり、続けて決定キーが操作されると図１５の状態となる。つまり、カーソル４２が項目Ｎから項目Ｊへ移動させられたときにマイナス方向と記憶し、続けて項目Ｊが選択されたときにチェック記号を入れるとともに項目Ｊから見てマイナス方向かつ連続した順位である項目Ｉへカーソルを移動させている。
【００５６】
さらに、図９の状態から図１３の状態を経て図１４の状態となった場合に、続けて決定キーが操作されると、移動方向はプラス方向と記憶されているので、項目Ｋにチェック記号を入れるとともに項目Ｋから見てプラス方向かつ連続した順位である項目Ｌへカーソルを移動させる。
【００５７】
また、図１０の状態から図１３の状態を経て図１４の状態となった場合に、続けて決定キーが操作されると、移動方向はプラス方向と記憶されているので、項目Ｋにチェック記号を入れるとともに項目Ｋから見てプラス方向かつ連続した順位である項目Ｌへカーソルを移動させる。
【００５８】
さらに、図１１の状態から図１３の状態を経て図１５の状態となった場合に、続けて決定キーが操作されると、移動方向はマイナス方向と記憶されているので、項目Ｉにチェック記号を入れるとともに項目Ｉから見てマイナス方向かつ連続した順位である項目Ｈへカーソルを移動させる。
【００５９】
また、図１２の状態から図１３の状態を経て図１５の状態となった場合に、続けて決定キーが操作されると、移動方向はマイナス方向と記憶されているので、項目Ｉにチェック記号を入れるとともに項目Ｉから見てマイナス方向かつ連続した順位である項目Ｈへカーソルを移動させる。このように、連続して決定キーを押下していくと項目を順番に選択していくことができる。
【００６０】
但し、リストが最初に表示された状態（カーソルが項目Ａにある状態）で決定キーが操作された場合、つまりステップＳ２１、ステップＳ２４、ステップＳ２５の順でステップＳ２６へ進んだ場合は、直近のカーソルの移動方向が記憶されていないので、カーソル４２を強制的にプラス方向かつ選択された項目の順位に連続する順位の項目である項目Ｂへ移動させるようにすればよい。
【００６１】
図８のような制御によると、複数の項目を連続的に選択できるリスト表示において、選択操作される直近のカーソルの移動操作がユーザの意図する操作だと推測して、選択後のカーソルをその操作を反映した方向に自動的に移動させることでユーザの意図を反映させ、操作性を向上させることができる。すなわち、ユーザは少ない操作回数で所望の複数の項目を選択することができる。
【００６２】
２つ目の例では、制御部２６は、項目が選択された際、選択された項目から見てプラス方向の項目が複数ある場合、又は選択された項目から見てマイナス方向の項目が複数ある場合には、直近のカーソルの移動方向そのものを記憶しておき、選択された項目から見てプラス方向の項目、又は選択された項目から見てマイナス方向の項目であって、かつ直近のカーソルの移動方向に位置する項目にカーソルを自動的に移動させるように制御する。
【００６３】
図１６は、上記の制御の一例を示すフローチャートである。ここでは、図２と同様、ＨＤＤ一体型光ディスク装置１０のＨＤＤに記録されている複数のタイトルをリスト表示してユーザが選択した複数のタイトルを一括して消去する場合を例に説明する。図１６のステップＳ２０〜ステップＳ２６までは図８と同様であるのでその詳細な説明を省略する。但し、ステップＳ２３においては直近のカーソルの移動方向そのものも記憶しておく。
【００６４】
ステップＳ２６でプラス方向と判定した場合は、ステップＳ３７へ進んで、選択された項目から見てプラス方向の項目であって、かつ直近のカーソルの移動方向に位置する項目へカーソルを自動的に移動させ、一方、マイナス方向と判定した場合は、ステップＳ３８へ進んで、選択された項目から見てマイナス方向の項目であって、かつ直近のカーソルの移動方向に位置する項目へカーソルを自動的に移動させる。その後、ステップＳ２４に戻る。そして、ユーザは所望の項目を全て選択した後に消去キーを操作することで、選択された項目（タイトル）が一括して消去される。
【００６５】
例えば、図９の状態から右キーが操作されると図１３の状態となり、続けて決定キーが操作されると図１４の状態となる。つまり、カーソル４２が項目Ｉから項目Ｊへ移動させられたときにプラス方向かつ右方向と記憶し、続けて項目Ｊが選択されたときにチェック記号を入れるとともに項目Ｊから見てプラス方向かつ直近のカーソルの移動方向である右方向に位置する項目Ｋへカーソルを移動させている。
【００６６】
また、図１０の状態から下キーが操作されると図１３の状態となり、続けて決定キーが操作されると図１７の状態となる。つまり、カーソル４２が項目Ｆから項目Ｊへ移動させられたときにプラス方向かつ下方向と記憶し、続けて項目Ｊが選択されたときにチェック記号を入れるとともに項目Ｊから見てプラス方向かつ直近のカーソルの移動方向である下方向に位置する項目Ｎへカーソルを移動させている。
【００６７】
また、図１１の状態から左キーが操作されると図１３の状態となり、続けて決定キーが操作されると図１５の状態となる。つまり、カーソル４２が項目Ｋから項目Ｊへ移動させられたときにマイナス方向かつ左方向と記憶し、続けて項目Ｊが選択されたときにチェック記号を入れるとともに項目Ｊから見てマイナス方向かつ直近のカーソルの移動方向である左方向に位置する項目Ｉへカーソルを移動させている。
【００６８】
また、図１２の状態から上キーが操作されると図１３の状態となり、続けて決定キーが操作されると図１８の状態となる。つまり、カーソル４２が項目Ｎから項目Ｊへ移動させられたときにマイナス方向かつ上方向と記憶し、続けて項目Ｊが選択されたときにチェック記号を入れるとともに項目Ｊから見てマイナス方向かつ直近のカーソルの移動方向である上方向に位置する項目Ｆへカーソルを移動させている。
【００６９】
さらに、図９の状態から図１３の状態を経て図１４の状態となった場合に、続けて決定キーが操作されると、移動方向はプラス方向右方向と記憶されているので、項目Ｋにチェック記号を入れるとともに項目Ｋから見てプラス方向かつ右方向である項目Ｌへカーソルを移動させる。
【００７０】
また、図１０の状態から図１３の状態を経て図１７の状態となった場合に、続けて決定キーが操作されると、移動方向はプラス方向かつ下方向と記憶されているので、項目Ｎにチェック記号を入れるとともに項目Ｎから見てプラス方向かつ下方向である項目Ｒへカーソルを移動させる。
【００７１】
さらに、図１１の状態から図１３の状態を経て図１５の状態となった場合に、続けて決定キーが操作されると、移動方向はマイナス方向かつ左方向と記憶されているので、項目Ｉにチェック記号を入れるとともに項目Ｉから見てマイナス方向かつ左方向である項目Ｈへカーソルを移動させる。
【００７２】
また、図１２の状態から図１３の状態を経て図１８の状態となった場合に、続けて決定キーが操作されると、移動方向はマイナス方向かつ上方向と記憶されているので、項目Ｆにチェック記号を入れるとともに項目Ｆから見てマイナス方向かつ上方向である項目Ｈへカーソルを移動させる。このように、連続して決定キーを押下していくと項目を順番に選択していくことができる。
【００７３】
但し、リストが最初に表示された状態（カーソルが項目Ａにある状態）で決定キーが操作された場合、つまりステップＳ２１、ステップＳ２４、ステップＳ２５の順でステップＳ２６へ進んだ場合は、直近のカーソルの移動方向が記憶されていないので、カーソル４２を強制的にプラス方向かつ連続した順位の項目である項目Ｂへ移動させるようにすればよい。
【００７４】
図１６のような制御によると、複数の項目を連続的に選択できるリスト表示において、選択操作される直近のカーソルの移動操作がユーザの意図する操作だと推測して、選択後のカーソルをその操作を反映した方向に自動的に移動させることでユーザの意図を反映させ、操作性を向上させることができる。すなわち、ユーザは少ない操作回数で所望の複数の項目を選択することができる。
【００７５】
複数の項目を連続的に選択できるリスト表示において、選択された項目から見てプラス方向の項目が複数ある場合、又は選択された項目から見てマイナス方向の項目が複数ある場合について上に２つ例示したが、それらは、例えば、リスト４０が表示されている状態で、モード切換キーが押下される度に、２つの動作を切り換えるようにしてもよい。
【００７６】
上記では、ＨＤＤ一体型光ディスク装置１０のＨＤＤに記録されている複数のタイトルをリスト表示してユーザが選択した複数のタイトルを一括して消去する場合を例に説明したが、他にも、ＨＤＤ一体型光ディスク装置１０においてＨＤＤから光ディスクへ所望の複数のタイトルを一括してダビングする場合や、デジタルカメラにおいて所望の複数の写真を一括してプリントする場合や、携帯電話機において所望の複数の電子メールを一括して所定のフォルダに移動させる場合や、テレビ受像機において番組表で所望の複数の番組を一括して視聴予約する場合にも同様に本発明を適用できる。
【００７７】
また本発明は、上述した表示方法を実現するプログラムも含んでいる。プログラムは上述した表示方法に沿って適宜組み立てればよい。
【産業上の利用可能性】
【００７８】
本発明は、メニューなど何らかの選択操作が可能な画面を表示させる電気機器に利用でき、例えば、テレビ、ＨＤＤレコーダ、光ディスク装置、デジタルカメラ、携帯電話機などに利用することができる。
【符号の説明】
【００７９】
１１  表示装置
３０、４０  リスト
１３  リモコン（操作部）
３２、４２  カーソル
【図１】
2011118641.tif 000003
【図２】
2011118641.tif 000004
【図３】
2011118641.tif 000005
【図４】
2011118641.tif 000006
【図５】
2011118641.tif 000007
【図６】
2011118641.tif 000008
【図７】
2011118641.tif 000009
【図８】
2011118641.tif 000010
【図９】
2011118641.tif 000011
【図１０】
2011118641.tif 000012
【図１１】
2011118641.tif 000013
【図１２】
2011118641.tif 000014
【図１３】
2011118641.tif 000015
【図１４】
2011118641.tif 000016
【図１５】
2011118641.tif 000017
【図１６】
2011118641.tif 000018
【図１７】
2011118641.tif 000019
【図１８】
2011118641.tif 000020